(57)【要約】【課題】編集処理が許可される時間が限られている場合が多い写真撮影プリント装置において、動画表示される画像の編集処理を短時間で行うことを可能とする写真撮影プリント装置を提供する。【解決手段】画像編集部１２は、ユーザによって選択された編集用画像データによる画像を、合成画像情報による合成画像上の指定位置に貼り付ける編集指示を操作受付部３１ｂから操作入力として受け付けた場合に、該編集用画像データに含まれる複数のレイヤのデータを、合成画像情報の編集レイヤデータに含まれる複数の編集レイヤにおけるそれぞれの該当位置に配置する処理を行う。被写体を撮影した撮影画像の少なくとも一部を含む部分撮影画像が上記複数の編集レイヤによって構成されている。【選択図】図１
2011223608.tif 000002
【特許請求の範囲】
【請求項１】
被写体を撮影した撮影画像に編集処理を加えて生成した合成画像情報に基づく合成画像を印刷媒体に印刷するとともに、上記合成画像情報を、通信媒体を介して外部の装置に送信するサービスを提供する写真撮影プリント装置であって、
ユーザからの操作入力を受け付ける操作受付部と、
上記操作受付部によって受け付けられた操作入力に応じて上記合成画像情報を編集する画像編集手段とを備え、
上記合成画像情報が、写真撮影によって得られた撮影画像データからなる撮影レイヤデータ、上記画像編集手段によって編集処理された編集画像データからなる編集レイヤデータを少なくとも含み、上記編集レイヤデータが複数の編集レイヤを含み、上記撮影画像の少なくとも一部を含む部分撮影画像が上記複数の編集レイヤによって構成されており、各編集レイヤの表示・非表示が切り替えられることによって動画表示が行われるものであり、
上記画像編集手段が、
ユーザによって選択された編集用画像データによる画像を、上記合成画像情報による合成画像上の指定位置に貼り付ける編集指示を上記操作入力として受け付けた場合に、該編集用画像データに含まれる複数のレイヤのデータを、上記編集レイヤデータに含まれる複数の編集レイヤにおけるそれぞれの該当位置に配置する処理を行うことを特徴とする写真撮影プリント装置。
【請求項２】
上記合成画像情報に含まれる上記複数の編集レイヤによって構成される少なくとも１つの上記部分撮影画像は、その位置および／または角度が変化することを特徴とする請求項１に記載の写真撮影プリント装置。
【請求項３】
被写体を撮影した撮影画像に編集処理を加えて生成した合成画像情報に基づく合成画像を印刷媒体に印刷するとともに、上記合成画像情報を、通信媒体を介して外部の装置に送信するサービスを提供する写真撮影プリント装置の制御方法であって、
上記合成画像情報が、写真撮影によって得られた撮影画像データからなる撮影レイヤデータ、上記編集処理された編集画像データからなる編集レイヤデータを少なくとも含み、上記編集レイヤデータが複数の編集レイヤを含み、上記撮影画像の少なくとも一部を含む部分撮影画像が上記複数の編集レイヤによって構成されており、各編集レイヤの表示・非表示が切り替えられることによって動画表示が行われるものであり、
ユーザによって選択された所定の編集用画像データによる画像を、上記合成画像情報による合成画像上の指定位置に貼り付ける編集指示をユーザから操作入力として受け付けるステップと、
該編集用画像データに含まれる複数のレイヤのデータを、上記編集レイヤデータに含まれる複数の編集レイヤにおけるそれぞれの該当位置に配置する処理を行うステップとを有することを特徴とする写真撮影プリント装置の制御方法。
【請求項４】
請求項１または２に記載の写真撮影プリント装置を動作させる画像編集プログラムであって、コンピュータを上記の画像編集手段として機能させるための画像編集プログラム。
【請求項５】
請求項４に記載の画像編集プログラムを記録したコンピュータ読み取り可能な記録媒体。
【発明の詳細な説明】
【技術分野】
【０００１】
本発明は、例えば被写体を撮影した画像に編集を施してプリントする写真撮影プリント装置、写真撮影プリント装置の制御方法、画像編集プログラム、およびこれを記録した記録媒体に関するものである。
【背景技術】
【０００２】
従来、例えばゲームセンターなどの娯楽施設において、ユーザの写真撮影を行うとともに、その写真を背景画像などと合成した上でシールプリントとして出力する写真撮影プリント装置が設置されており、人気を博している。
【０００３】
この写真撮影プリント装置では、例えば、写真撮影が行われた後に、表示画面上に表示させた撮影画像に対して、タッチペンなどのポインティングデバイスによって落書き等の編集処理を施すことが可能となっている機種が普及している。この編集処理機能によって、ユーザは撮影画像に対して、例えば背景の色や模様を変更したり、文字やイラストなどを書き込んだりすることが可能となる（例えば特許文献１参照）。
【０００４】
さらに、これら撮影画像に編集処理を施した合成画像をユーザの携帯端末に送信するサービスも行われており、写真画像処理装置を利用した後も、ユーザは携帯端末で合成画像を利用できるような工夫がなされている。
【先行技術文献】
【特許文献】
【０００５】
【特許文献１】特開２０００−６９４０４公報（２０００年３月３日公開）
【特許文献２】特開平１０−２７０８２公報（１９９８年１月２７日公開）
【発明の概要】
【発明が解決しようとする課題】
【０００６】
昨今では、携帯端末において動画表示が可能な機種が続々と登場している。したがって、写真撮影プリント装置においても、このような携帯端末に送信する合成画像を生成することを目的として、編集処理において動画表示が可能な画像データを合成画像に含めることが考えられる。
【０００７】
このように、動画表示が可能な画像データを含む合成画像を編集する場合、次のような問題がある。通常、動画は“複数の静止画を順番に差替えることで実現”される。例えば、物体が右から左に動く場合、物体を右に描いた静止画、真中に描いた静止画、左に描いた静止画を準備し、順に一枚ずつ表示することで、動きを実現する。これを写真撮影プリント装置における編集処理で実現しようとすると、利用者は複数の編集用レイヤに上記のようなそれぞれ異なる画像を描画する必要がある。通常、写真撮影プリント装置で利用者に許可される編集時間はせいぜい４〜５分が限度であり、その時間では充分な動きを実現できるだけの枚数のレイヤを作成することは不可能である。さらに、動かした時の整合（例えば、物体の軌跡や形状を矛盾無く描画する）を取るように描画するためには、かなりの技量を持っていなければならない。以上の問題より、写真撮影プリント装置において動画を編集することは困難であった。
【０００８】
本発明は、上記の問題点に鑑みてなされたものであり、その目的は、編集処理が許可される時間が限られている場合が多い写真撮影プリント装置において、動画表示される画像の編集処理を短時間で行うことを可能とする写真撮影プリント装置、写真撮影プリント装置の制御方法、画像編集プログラム、およびこれを記録した記録媒体を提供することにある。
【課題を解決するための手段】
【０００９】
本発明に係る写真撮影プリント装置は、上記課題を解決するために、被写体を撮影した撮影画像に編集処理を加えて生成した合成画像情報に基づく合成画像を印刷媒体に印刷するとともに、上記合成画像情報を、通信媒体を介して外部の装置に送信するサービスを提供する写真撮影プリント装置であって、ユーザからの操作入力を受け付ける操作受付部と、上記操作受付部によって受け付けられた操作入力に応じて上記合成画像情報を編集する画像編集手段とを備え、上記合成画像情報が、写真撮影によって得られた撮影画像データからなる撮影レイヤデータ、上記画像編集手段によって編集処理された編集画像データからなる編集レイヤデータを少なくとも含み、上記編集レイヤデータが複数の編集レイヤを含み、上記撮影画像の少なくとも一部を含む部分撮影画像が上記複数の編集レイヤによって構成されており、各編集レイヤの表示・非表示が切り替えられることによって動画表示が行われるものであり、上記画像編集手段が、ユーザによって選択された編集用画像データによる画像を、上記合成画像情報による合成画像上の指定位置に貼り付ける編集指示を上記操作入力として受け付けた場合に、該編集用画像データに含まれる複数のレイヤのデータを、上記編集レイヤデータに含まれる複数の編集レイヤにおけるそれぞれの該当位置に配置する処理を行うことを特徴とする。
【００１０】
また、本発明に係る写真撮影プリント装置の制御方法は、被写体を撮影した撮影画像に編集処理を加えて生成した合成画像情報に基づく合成画像を印刷媒体に印刷するとともに、上記合成画像情報を、通信媒体を介して外部の装置に送信するサービスを提供する写真撮影プリント装置の制御方法であって、上記合成画像情報が、写真撮影によって得られた撮影画像データからなる撮影レイヤデータ、ユーザからの操作入力に応じて上記合成画像情報に編集処理された編集画像データからなる編集レイヤデータを少なくとも含み、上記編集レイヤデータが複数の編集レイヤを含み、上記撮影画像の少なくとも一部を含む部分撮影画像が上記複数の編集レイヤによって構成されており、各編集レイヤの表示・非表示が切り替えられることによって動画表示が行われるものであり、ユーザによって選択された所定の編集用画像データによる画像を、上記合成画像情報による合成画像上の指定位置に貼り付ける編集指示をユーザから操作入力として受け付けるステップと、該編集用画像データに含まれる複数のレイヤのデータを、上記編集レイヤデータに含まれる複数の編集レイヤにおけるそれぞれの該当位置に配置する処理を行うステップとを有することを特徴とする。
【００１１】
上記の構成または方法では、ユーザによって編集用画像データが選択され、その貼り付け位置が指定されると、該編集用画像データに含まれる複数のレイヤのデータが、編集レイヤデータに含まれる複数の編集レイヤにおけるそれぞれの該当位置に配置されることになる。このような編集処理が行われた合成画像情報に対して、各編集レイヤの表示・非表示が切り替えられることによる動画表示が行われると、編集用画像データも動画表示されることになる。
【００１２】
すなわち、上記の構成または方法によれば、ユーザは、編集用画像データの選択、および、その貼り付け位置の指定、という簡単な作業をすることのみによって、動画表示される画像の編集処理を行うことが可能となる。よって、編集処理が許可される時間が限られている場合が多い写真撮影プリント装置においても、動画表示される画像の編集処理を短時間で行うことが可能となり、利用者の満足度も向上させることが可能となる。
【００１３】
また、被写体を撮影した撮影画像の少なくとも一部を含む部分撮影画像が、上記複数の編集レイヤによって構成されてもいる。これにより、所定の編集用画像データを貼り付けることで動画を得るだけでなく、上記撮影画像を用いて所望の動画を表示することができるため、利用者の満足度をさらに向上させることが可能となる。
【００１４】
また、本発明に係る写真撮影プリント装置は、上記合成画像情報に含まれる上記複数の編集レイヤによって構成される少なくとも１つの上記部分撮影画像は、その位置および／または角度が変化してもよい。
【００１５】
上記の構成または方法では、上記部分撮影画像の位置および／または角度が変化するように動画表示が行われる。これにより、所定の編集用画像データを貼り付けることで動画を得るだけでなく、上記撮影画像を用いて所望の動画を表示することができるため、利用者の満足度をさらに向上させることが可能となる。
【００１６】
なお、上記写真撮影プリント装置は、コンピュータによって実現してもよく、この場合には、コンピュータを上記画像編集手段として動作させることにより上記写真撮影プリント装置をコンピュータにて実現させる画像編集プログラム、およびそれを記録したコンピュータ読み取り可能な記録媒体も、本発明の範疇に入る。
【発明の効果】
【００１７】
本発明に係る写真撮影プリント装置は、以上のように、被写体を撮影した撮影画像の少なくとも一部を含む部分撮影画像が、上記複数の編集レイヤによって構成されている。これにより、所定の編集用画像データを貼り付けることで動画を得るだけでなく、上記撮影画像を用いて所望の動画を表示することができるため、利用者の満足度をさらに向上させることが可能となるという効果を奏する。
【図面の簡単な説明】
【００１８】
【図１】本発明の実施の一形態に係る写真撮影プリント装置の構成を示すブロック図である。
【図２】本発明の実施の一形態に係る合成画像通信システムの構成を示すブロック図である。
【図３】（ａ）及び（ｂ）は、上記写真撮影プリント装置の外観を示す図である。
【図４】上記写真撮影プリント装置の編集部の正面図である。
【図５】上記写真撮影プリント装置の印刷部の正面図である。
【図６】本発明の実施の一形態に係る合成画像通信システムに含まれる管理サーバシステムの構成を示すブロック図である。
【図７】本発明の実施の一形態に係る合成画像通信システムに含まれるＷｅｂサーバの構成を示すブロック図である。
【図８】上記写真撮影プリント装置における処理の流れを示すフローチャートである。
【図９】上記管理サーバシステムの処理の流れを示すフローチャートである。
【図１０】上記Ｗｅｂサーバの処理の流れを示すフローチャートである。
【図１１】合成画像情報の構造の一例を示す図である。
【図１２】（ａ）〜（ｃ）は、それぞれ重ねて表示される編集レイヤおよび撮影レイヤの画像の一例を示す図である。
【図１３】編集レイヤを重ねて表示させた合成画像を示す図である。
【図１４】（ａ）は、一方の編集レイヤを非表示し、他方の編集レイヤを表示した状態の表示画面、（ｂ）は、一方の編集レイヤを表示し、他方の編集レイヤを非表示とした状態の表示画面を示す図である。
【図１５】（ａ），（ｂ）は、撮影画像の上に複数の部分撮影画像が表示されるとともに、少なくとも１つの部分撮影画像の位置および角度の少なくとも一方が変化するような動画表示が行われる例を示す図である。
【図１６】明度強調度情報を用いて動画表示が行われる例を示す図である。
【図１７】編集画面の一例を示す図である。
【図１８】各編集レイヤに描画される入力軌跡に応じた動画線画像データについて説明する図である。
【図１９】（ａ）および（ｂ）は、編集対象画像に含まれる２つの編集レイヤの例をそれぞれ示す図である。
【図２０】消しゴムツールで消去される状態の例を示す図である。
【図２１】編集対象画像に含まれる複数の編集レイヤを全て表示させた状態の例を示す図である。
【発明を実施するための形態】
【００１９】
本発明の実施の一形態について図面に基づいて説明すれば、以下の通りである。
【００２０】
（システムの全体構成）
図２は、本実施形態に係る合成画像通信システム１００の構成の概略を示すブロック図である。同図に示すように、合成画像通信システム１００は、写真撮影プリント装置１…、管理サーバシステム２００、および携帯電話機（通信端末）３００…を備えた構成となっている。
【００２１】
写真撮影プリント装置１は、ユーザの写真を撮影する機能（撮影機能）、撮影した写真に対して落書きなどの編集をユーザに行わせる機能（編集機能）、および編集された画像をプリントする機能（プリント機能）を備えているものである。なお、これらの機能は全て必須であるものではなく、例えばプリント機能が省かれた構成とすることも可能である。
【００２２】
そして、写真撮影プリント装置１は、ユーザから料金を徴収することによって、上記のような機能をユーザに提供するようになっている。また、各機能に対して制限時間が設けられており、ユーザはこの制限時間内で各機能を利用することになる。
【００２３】
管理サーバシステム２００は、各写真撮影プリント装置１から撮影画像に対して編集処理が行われた画像である合成画像情報、および、ユーザから入力されたメールアドレスの情報などを含む付加情報を受信するとともに、携帯電話機３００からのアクセスに応じて、上記合成画像のデータを該携帯電話機３００に送信する処理を行うサーバシステムである。管理サーバシステム２００と各写真撮影プリント装置１との間は、通信媒体によって通信接続されている。この通信媒体としては、例えば専用線接続などが挙げられるが、通信形態については特に限定されるものではない。また、管理サーバシステム２００と各携帯電話機３００との間は、同様に通信媒体によって通信接続されている。この通信媒体としては、例えば無線電話網とインターネットとの組合せなどが挙げられるが、通信形態については特に限定されるものではない。
【００２４】
携帯電話機３００は、例えば携帯電話網やＰＨＳ（登録商標：Personal Handyphone System）電話網などの無線電話網による電話機能を有するとともに、該無線電話網を用いたデータ通信機能および情報処理機能を有する情報処理端末である。なお、本発明に適用される情報処理端末は、携帯型電話機に限定されるものではなく、有線無線を問わず管理サーバシステム２００とデータ通信が可能であり、かつ情報処理を行うことが可能な情報処理端末であれば、どのような装置であってもよい。
【００２５】
また、本実施形態では、ユーザの携帯電話機のメールアドレスをユーザにより入力させるものであるとするが、例えば、写真撮影プリント装置１が携帯電話機から直接読み取り可能に設けられていても構わない。この場合には、写真撮影プリント装置１と携帯電話機３００が近距離無線通信を行うものとする。これらの装置には、ＩＥＥＥ（Ｉｎｓｔｉｔｕｔｅ ｏｆ Ｅｌｅｃｔｒｉｃａｌ ａｎｄ Ｅｌｅｃｔｒｏｎｉｃｓ Ｅｎｇｉｎｅｅｒｓ）８０２．１１ａ，１１ｂ，１１ｇなどに準拠した無線ＬＡＮ（Ｌｏｃａｌ Ａｒｅａ Ｎｅｔｗｏｒｋ）モジュールやＢｌｕｅｔｏｏｔｈ（登録商標）モジュール、あるいは、赤外線を介しての通信を行うモジュールなどよりなる近距離通信部を有しており、互いに近距離無線通信を行うことが可能とされている。しかし、これに限定されず、写真撮影プリント装置１と携帯電話機３００とは、また、例えばＵＳＢケーブル等の有線で接続される構成であってもかまわない。あるいは、近距離無線通信を行わず、管理サーバシステム２００及び写真撮影プリント装置１を接続する上記した広域ネットワークを介して接続するようになっていてもよい。
【００２６】
（合成画像通信システムの利用形態）
合成画像通信システム１００の利用形態について概略的に説明する。ユーザは、娯楽施設などに設置されている写真撮影プリント装置１を用いてゲームを行う。このゲームにおいて、ユーザは、写真撮影を行い、写真撮影プリント装置１上で撮影画像に対する編集処理として、いわゆる落書きといった、撮影画像に編集画像を書き込む処理を行う。この編集処理の一環として、ユーザは、専用のペンで思い思いの絵や文字を書き込み、あるいはスタンプを選択してスタンプの模様を、撮影画像に合成する。この編集画像には動画も含まれるが、これ詳細については後述する。
【００２７】
そして、撮影画像に編集画像を合成した合成画像を、写真撮影プリント装置１がプリントして出力することで、ユーザは、そのプリント物をゲームの成果として得ることができる。また、合成画像通信システム１００では、ユーザは携帯電話機３００に合成画像を送信することができる。この場合、ユーザは、携帯電話機３００のメールアドレスを写真撮影プリント装置１に登録（入力）することで、写真撮影プリント装置１は、合成画像情報、および、付加情報を管理サーバシステム２００に送信する。ここでは、合成画像の所有者としての自己の識別情報（ＩＤ）として、また、サーバからの情報を受信するために、自己の携帯電話機のメールアドレスが登録されるものとする。以上により、写真撮影プリント装置１でのユーザのゲームは終了する。
【００２８】
管理サーバシステム２００は、写真撮影プリント装置１から送られてくる合成画像情報、および、付加情報を互いに対応付けて記憶する。そして、管理サーバシステム２００は、ユーザのメールアドレスに対して、合成画像を取得することができるページのアドレス情報を示したメールを送信する。ユーザは、自己の携帯電話機３００を用いて、受信したメールに示されたアドレスのページにアクセスし、合成画像を取得することによって該合成画像を携帯電話機３００において表示させる。
【００２９】
また、写真撮影プリント装置１は、合成画像情報、および、付加情報を管理サーバシステム２００に送信する際、これらの対応付けを可能とする対応付け情報を送信データに含めることが好ましい。対応付け情報は、各情報のデータに含められて送信されてもよいし、各情報のデータとは別に送信されてもよい。
【００３０】
（写真撮影プリント装置の外観）
次に、写真撮影プリント装置１の外観構成について、図３（ａ）および図３（ｂ）を参照しながら以下に説明する。この写真撮影プリント装置１は、ユーザの写真を撮影する撮影部２と、撮影した写真（撮影画像）に対して落書きなどの編集をユーザに行わせる編集部３と、ユーザが編集を行った写真（編集画像）をプリント紙に出力する印刷部４とを有している。図３（ａ）は写真撮影プリント装置１における撮影部２側からの外観を示し、図３（ｂ）は編集部３および印刷部４側からの外観を示している。
【００３１】
図４は、編集部３ａの正面図である。なお、編集部３ｂの構成は、編集部３ａと同様であるので、ここでは図示しない。編集部３ｂは、編集部３ａの対面に設けられている。以下では、まとめて編集部３として説明する。
【００３２】
編集部３は、ユーザが撮影部２による撮影工程を終了した後に、撮影画像に対して落書きなどの編集工程を実行するためのものであり、タッチパネル部３１、タッチペン３２、および、音声出力部３３などで構成される。編集部３の各部は、制御部１０によって制御される。上述の各部の詳細については後述する。
【００３３】
図５は、印刷部４の正面図である。本実施形態では、編集部３ａおよび編集部３ｂの側面に印刷部４を設けており、したがって、図５は、編集部３の側面を表している。印刷部４は、ユーザが編集部３による編集工程を終了した後の編集画像をシール紙にプリントして、プリントしたシール紙を排出するものである。本実施形態では、編集部３側面に、プリント排出口４４ａおよび４４ｂが設けられており、編集部３ａにて編集が行われた編集画像のシール紙は、プリント排出口４４ａから排出され、編集部３ｂにて編集が行われた編集画像のシール紙は、プリント排出口４４ｂから排出される。
【００３４】
上述のような構成の写真撮影プリント装置１において、ユーザは、まず撮影部２が備えられた撮影空間に入って撮影工程を実行し、その後、編集部３（編集部３ａまたは編集部３ｂ）が備えられた編集空間に移動して編集工程を実行し、印刷部４により撮影画像または編集画像のプリントされたシール紙を印刷空間にて受け取る、という流れでゲームの一連の工程を楽しむ。
【００３５】
以上のように、写真撮影プリント装置１は、撮影部２と編集部３とが別の空間に設けられている。よって、一組のユーザが編集部３において編集処理を行っている時でも、他のユーザが撮影処理を開始することが可能となっている。これにより、回転率を向上させることが可能である。
【００３６】
また、編集部３における編集処理には、基本的には制限時間が設けられている。これに対して、別の利用者が撮影処理に入るまで編集処理時間を無制限にし、他のユーザが撮影処理を開始した時点から、編集処理に制限時間を設けるようにしてもよい。
【００３７】
また、本実施形態に係る写真撮影プリント装置１は図３（ａ）および図３（ｂ）に示すとおり、編集部３を２つ備える構造となっており、第１の編集部３ａと第２の編集部３ｂとが対面に設置されている。このように、編集部３を撮影部２よりも多く設けることで、ボトルネックとなっている編集工程に係る処理時間を分散し、回転率を向上させることが可能である。しかし、本発明の写真撮影プリント装置１は、上述の構成に限定されない。編集部３の設置位置は特に限定しないし、また、設置数も、編集部３を１つ設ける構成としてもよいし、設置場所が確保できれば、３つ以上の編集部３を設けるようにしてもよい。
【００３８】
（写真撮影プリント装置の構成−概要）
次に、図１を用いて、写真撮影プリント装置１における制御部１０および写真撮影プリント装置１の各部の動作について説明する。図１は、本実施形態に係る写真撮影プリント装置１の要部構成を示すブロック図である。
【００３９】
本発明の写真撮影プリント装置１は、図１に示すとおり、撮影部２、編集部３、印刷部４、制御部１０、および、記録部５０を備えた構成となっている。
【００４０】
制御部１０は、写真撮影プリント装置１が備える上述の各部の動作を統括的に制御するものである。この制御部１０は、例えばＰＣ（personal computer）ベースのコンピュータによって構成される。そして、各種構成の動作制御は、制御プログラムをコンピュータに実行させることによって行われる。このプログラムは、例えばＣＤ−ＲＯＭなどのリムーバブルメディアに記録されているものを読み出して使用する形態であってもよいし、ハードディスクなどにインストールされたものを読み出して使用する形態であってもよい。また、この制御部１０がインターネットなどの通信ネットワークに接続された構成とする場合、この通信ネットワークを介して上記プログラムをダウンロードしてハードディスクなどにインストールして実行する形態なども考えられる。
【００４１】
写真撮影プリント装置１は、上記したハードディスクなどの不揮発性の記憶装置によって構成される記録部５０を備える。この記録部５０に記憶される内容としては、上記制御プログラム、ＯＳ（Operating System）プログラム、その他の各種プログラム、カメラ部２３における動作設定値、撮影画像および編集画像の画像データなどが挙げられる。上記カメラ部２３における動作設定値としては、写真撮影プリント装置１出荷時やメンテナンス時などに設定されるホワイトバランスの値、撮影画像の明暗などを調整する際の画像処理に関する各種パラメータ値などが挙げられる。
【００４２】
撮影部２は、撮影工程を実行するものであり、硬貨処理部２１、照明部２２、カメラ部２３、撮影画像表示部２４、カメラ画像表示部２５、および、操作部２６により構成されている。なお、ここには図示しないが、撮影部２には、ユーザにある動作を促すよう音声案内を行うための音声出力部が含まれていてもよい。
【００４３】
硬貨処理部２１は、ユーザから料金の徴収を行う際の硬貨投入／返却処理を行うものである。所定の硬貨が投入されたと判定すると、制御部１０に通知する。そして、制御部１０は、硬貨処理部２１からの通知を受け取ると、課金処理を行う。すなわち、制御部１０は、硬貨処理部２１からの通知をカウントし、ユーザが投入した金額に応じて、ユーザに対する各種動作を制御する。
【００４４】
照明部２２は、撮影時にストロボランプなどの写真閃光灯として機能するとともに、通常時の照明として機能するものである。本実施形態では、光源としてフラッシュランプを使用しているが、蛍光灯などのような連続光を発する光源を使用することもできる。また、フラッシュランプの近傍に蛍光灯などを補助光源として設けることもできる。連続光の光源や補助光源を使用することにより、撮影前のライブビュー画像から撮影時の写りを推測することができる。
【００４５】
カメラ部２３は、主にユーザを被写体として写真撮影を行うものであり、例えばレンズ群、絞り、ＣＣＤ（charge coupled device）撮像素子などを備えたデジタルカメラによって構成される。カメラ部２３は、全身撮影とクローズアップ撮影との両方に対応できるように、例えば使用するレンズ群および絞りを切り替えられるような構成となっている。
【００４６】
撮影画像表示部２４は、ユーザにユーザインターフェイスを提供するものであり、各種画像や各種操作ボタン等を表示する。操作部２６は、写真撮影プリント装置１に対するゲームの操作をユーザが行うための指示信号を入力する入力デバイスである。本実施形態では、操作部２６を撮影画像表示部２４と一体としたタッチパネルとして実現する。すなわち、撮影画像表示部２４に、操作ボタンなどのＧＵＩ画面を表示する。撮影画像表示部２４の表示画面がユーザの指（または、タッチペンなどのポインティングデバイス）により押下されることにより、その位置に対応するボタンや画像を示す指示信号が、写真撮影プリント装置１内部に入力される。
【００４７】
撮影画像表示部２４は、例えば、液晶表示素子等のフラットパネルディスプレイやＣＲＴなどの表面にタッチパネルが設けられて構成されている。カメラ部２３が撮影した撮影画像を撮影画像表示部２４に表示することにより、ユーザは、撮影画像を確認することができる。なお、本実施形態では、操作部２６を撮影画像表示部２４と一体に設けたタッチパネルとして構成することとしたが、これに限定されず、操作部２６を、例えば、テンキーや十字キーなどが設けられたリモコンや、キーボードなどの入力デバイスとして構成してもよい。
【００４８】
カメラ画像表示部２５は、カメラ部２３がとらえるリアルタイムの映像、すなわち、撮影前のライブビュー画像を表示するものである。カメラ画像表示部２５にライブビュー画像を表示することにより、ユーザは前もって写りを確認して撮影に臨むことができる。
【００４９】
編集部３は、編集工程を実行するものであり、タッチパネル部３１およびタッチペン３２により構成されている。編集部３には、さらに、音声出力部３３が含まれていてもよい。
【００５０】
タッチパネル部３１は、ユーザにユーザインターフェイスを提供するものであり、編集画像表示部３１ａおよび操作受付部３１ｂにより構成される。編集画像表示部３１ａは、編集工程における編集の対象となる画像（編集対象画像）や、撮影画像に編集を施した結果（合成画像）を表示するものである。操作受付部３１ｂは、タッチペンなどのポインティングデバイスを用いることにより入力されたユーザの指示信号を受け付けて、写真撮影プリント装置１内部に伝達するものである。
【００５１】
タッチペン３２は、画像編集処理などにおいて、タッチパネル部３１上で細かな操作入力をユーザが行うためのものであり、タッチパネル部３１の近くに配備される。ユーザは、このタッチペン３２をタッチパネル部３１に接触または接近させることによって、処理の進行に応じて表示されるボタンを選択したり、落書きなどの画像描画を行ったりすることができる。
【００５２】
例えば、タッチパネル部３１の画面がタッチペン３２で押下されることにより、その位置に対応するボタンや画像を示す指示信号が、写真撮影プリント装置１内部に入力される。これにより、ユーザは、撮影画像に落書きを施したり、スタンプを押したり、また、印刷の対象となる印刷対象画像を選択したりすることができる。
【００５３】
なお、本実施形態では、複数のユーザが容易に画像編集を行うようにするために、タッチペン３２を２本配備しているが、構成の簡略化のために、１本のみを配備することもできるし、３人以上のユーザのために、３本以上を配備することもできる。同様に、タッチペン３２を複数個配備することもできる。
【００５４】
音声出力部３３は、各種操作上のガイダンス音声や効果音などを出力するものであり、写真撮影プリント装置１の適所に配備される。この音声出力部３３としては、例えばスピーカが用いられる。
【００５５】
印刷部４は、印刷対象として選択された撮影画像および／または編集画像を印刷することにより印刷工程を実行するものであり、ＩＤタグリーダ／ライタ部４１、および、プリンタ部４２により構成されている。この印刷部４に対して、写真プリントの出力媒体となるシール紙１４２と、ＩＤタグ１４１とが、シール紙ユニット４３としてセットで納入されるようになっている。
【００５６】
プリンタ部４２は、出力すべき画像データが制御部１０から送られてくると、その画像データに基づいてシール紙１４２に印刷するものである。このプリンタ部４２としては、例えば昇華型プリンタが用いられる。なお、昇華型プリンタを用いる場合には、シール紙１４２およびＩＤタグ１４１に加えて、昇華型用インクフィルムがセットととなって納入されることになる。
【００５７】
ＩＤタグリーダ／ライタ部４１は、ＩＤタグ１４１に記録されている各種識別情報を読み出して制御部１０に出力する。ＩＤタグ１４１は、メモリ機能を有するＩＣチップなどによって構成されるものである。上記識別情報としては、固有ＩＤ、用紙枚数、用紙種類、および、インク固有の色情報（インクフィルムがセットとなっている場合）などが挙げられる。
【００５８】
制御部１０は、ＩＤタグリーダ／ライタ部４１で読み取った識別情報に基づいて、装着されたシール紙１４２およびインクフィルムが、当該写真撮影プリント装置１において利用可能なものであるかを判定し、利用可能である場合にのみプリンタ部４２を動作可能とする。すなわち、写真撮影プリント装置１において指定されているシール紙１４２およびインクフィルム以外は使用できないように設定されていることになる。
【００５９】
また、ＩＤタグ１４１に記録されている用紙枚数情報に基づいて、シール紙を使用するたびに用紙枚数をカウントダウンしていくことによって、残りの用紙枚数を把握することが可能となる。よって、残りの用紙枚数が少なくなってきた際に、これを表示手段などによって警告するような構成としておけば、ユーザの利用中に用紙切れを起こすというような不具合を回避することが可能となる。
【００６０】
なお、用紙枚数をカウントダウンする際には、ＩＤタグ１４１に記録されている用紙枚数情報も書き換えることが望ましい。これにより、用紙を使い切った場合には、ＩＤタグ１４１に記録されている用紙枚数情報も０となり、このＩＤタグ１４１を無効にすることが可能となる。
【００６１】
また、ＩＤタグ１４１に記録されている用紙種類情報や、インク固有の色情報を読み出すことによって、これらを考慮して画像データの色成分などを補正することにより、そのシール紙１４２やインクフィルムに的確な画像出力を行うことが可能となる。
【００６２】
ＩＤタグ１４１としては、無線（ワイヤレス）によりデータ通信を行うことが可能な非接触型ＩＤタグと、端子が設けられた接触型ＩＤタグとがあり、ＩＤタグリーダ／ライタ部４１としては、これらの何れか一方あるいは両方に対応したものとなる。
【００６３】
なお、上述の例では、利用可能なシール紙１４２であるか否かを確認するために、ＩＤタグ１４１を利用しているが、これに限定されるものではなく、例えば、シール紙１４２およびインクフィルムを梱包する梱包材などにプリントされているバーコードなどを利用する構成としてもよい。しかしながら、バーコードを用いる場合には、含めることのできる情報量が少ないことや、例えば用紙枚数のカウントダウンによる情報の書き換えができない、などの問題がある。
【００６４】
なお、本実施形態では、シール紙１４２として、粘着シートおよび該粘着シートの粘着面に貼り付けられている剥離シートからなるシールシートを想定しているが、これに限定されない。シール紙１４２の代わりに、通常の紙状媒体である紙状シートを用いるように本発明の写真撮影プリント装置１を構成することもできる。
【００６５】
また、本発明の写真撮影プリント装置１は、カーテン部２７を備えていてもよい。カーテン部２７は、撮影画像の背景となるカーテンを提供するものである。カーテンは、さまざまな色や模様を施されたものが用意され、撮影時に、ユーザが自由に選択できたり、写真撮影プリント装置１が自動で選択したりする。これら複数のカーテンは、撮影空間２０の背面（撮影部２の対面）に重ねて配置されており（図２（ａ）および（ｂ））、撮影時には、選択されたカーテンが、被写体の背後に写るよう、最前面に設置される。選択されたカーテンの設置は、制御部１０の背景制御部１５がカーテン部２７を制御することにより実行してもよいし、ユーザ自身が手動で行う構成としてもよい。
【００６６】
また、本実施形態では、カーテン部２７が複数のカーテンを提供する構成としたが、これに限定されない。カーテン部２７で設置可能なカーテンを１種類としてもよい。この場合は、合成用の背景画像を複数種類用意して、編集工程においてユーザが所望する背景画像を合成するようにすれば、カーテンの種類が１つしかなくても、ユーザの多様な好みに対応することができる。
【００６７】
〔写真撮影プリント装置の構成−詳細〕
次に、写真撮影プリント装置１の制御部１０および記録部５０についてより詳細に説明する。図１に示すとおり、制御部１０は、さらに内部に撮影画像取得部１１、画像編集部（画像編集手段）１２、印刷画像作成部（印刷画像作成手段）１３、通信処理部１４、および背景制御部１５を有している。なお、背景制御部１５については、上記したとおりであるので、ここでは説明を省略する。
【００６８】
記録部５０は、撮影画像を記録する撮影画像記録部５１、画像編集において提供される、背景画像、フレーム画像、スタンプ画像などの編集用画像を記録する編集用画像記録部（画像記憶部）５２、編集画像に関する情報を記録する編集画像情報記録部５３、および、印刷画像を記録する印刷画像記録部５４を含んでいる。
【００６９】
撮影画像取得部１１は、被写体の撮影によって作成された撮影画像をカメラ部２３から取得するものである。撮影画像取得部１１は、取得した撮影画像を撮影画像記録部５１に記録する。
【００７０】
画像編集部１２は、ユーザの操作にしたがって、撮影画像に対し画像編集を実行するものである。画像編集の例としては、編集用画像記録部５２から読み出した背景画像および／またはフレーム画像を追加したり、編集用画像記録部５２から読み出したスタンプ画像を任意の位置に追加したり、タッチペンによる落書きを追加したりすることなどが挙げられる。しかしながら、画像編集は、上述した例に限定されず、写真撮影プリント装置１に接続された何らかの入力手段（入力部）をユーザが操作することによって、編集が実行され、当初の撮影画像に変更が加えられた結果としての合成画像を得られる編集であれば、どのような処理内容の編集工程であってもよい。
【００７１】
そして、画像編集部１２は、合成画像情報に含まれるデータや編集内容に関する編集画像情報を編集画像情報記録部５３に記録している。
【００７２】
印刷画像作成部１３は、複数の分割領域のそれぞれに、該分割領域のサイズに合わせた編集画像を配置した印刷画像を作成するものである。印刷画像における編集画像のサイズおよび配置は、通常、ユーザが複数のパターンの中から１つを選択することによって決定されるが、ユーザが自由に決定してもよいし、写真撮影プリント装置１がランダムに決定しても良い。印刷画像作成部１３は、作成した印刷画像記録部５４に記録する。そして、制御部１０は、適当なタイミングで印刷画像記録部５４に記録された印刷画像をシール紙１４２に印刷するようにプリンタ部４２に指示する。
【００７３】
通信処理部１４は、通信インタフェースを介して外部装置との通信処理を実行するものである。この通信処理部１４は、合成画像情報および付加情報の送受信処理を実行するとともに、合成画像情報の送受信にともなって合成画像情報を適宜のデータ形式に変換する処理を行う。
【００７４】
（管理サーバシステムの構成）
次に、管理サーバシステム２００の構成について、図６を参照しながら説明する。同図に示すように、管理サーバシステム２００は、ＦＴＰサーバ（画像データ受信手段）２０１、登録処理サーバ（画像データ受信手段）２０２、画像ファイルサーバ（画像データ記録手段）２０３、付加情報ファイルサーバ２０４、ＷＥＢサーバ（情報提供手段）２０５、およびメール送信サーバ（メール送信手段）２０６を備えた構成となっている。
【００７５】
ＦＴＰサーバ２０１は、写真撮影プリント装置１から送られてくる合成画像情報、および、付加情報を受信する処理を行うファイル転送サーバである。本実施形態では、写真撮影プリント装置１との間でデータ通信を行う際のプロトコルとして、ＦＴＰ（File Transfer Protocol）が用いられることを想定しているが、特にこれに限定されるものではない。ＦＴＰサーバ２０１で受信されたデータは、登録処理サーバ２０２に伝送される。なお、写真撮影プリント装置１が広い地域にわたって多数設置されている場合には、ＦＴＰサーバ２０１を複数設けることによって、データ伝送処理を分散させるようにしてもよい。
【００７６】
登録処理サーバ２０２は、ＦＴＰサーバ２０１から受信した合成画像情報を画像ファイルサーバ２０３に送信するとともに、付加情報を付加情報ファイルサーバ２０４に送信する処理を行う。ここで、登録処理サーバ２０２は、付加情報を付加情報ファイルサーバ２０４に送信する際に、該付加情報に対応する合成画像情報を特定する情報も送信する。これにより、付加情報ファイルサーバ２０４には、付加情報と、それに対応する合成画像情報を特定する情報との組合せの情報がデータベースとして記録されることになる。
【００７７】
また、登録処理サーバ２０２は、合成画像情報を画像ファイルサーバ２０３に送信する際に、該合成画像情報に対応する付加情報のうち、ユーザを特定する情報も送信する。これにより、画像ファイルサーバ２０３には、各ユーザに対応するフォルダ内に、該ユーザに対応する合成画像情報を記録したデータベースが記録されることになる。なお、画像ファイルサーバ２０３は、受信した合成画像情報で示される合成画像の画像サイズを縮小したサムネイル画像を生成し、このサムネイル画像を同じフォルダ内に格納するようにしてもよい。
【００７８】
また、登録処理サーバ２０２は、付加情報に含まれるメールアドレスに対してＷＥＢサーバ２０５にアクセスするためのＵＲＬ（Uniform Resource Locator）情報（ＷＥＢアドレス）を記した電子メールを生成する処理を行う。生成した電子メールは、メール送信サーバ２０６に送られる。
【００７９】
画像ファイルサーバ２０３および付加情報ファイルサーバ２０４は、それぞれ登録処理サーバ２０２から受信した情報に基づいてデータベースを構築し、該データベースを記録・保管するファイルサーバである。なお、画像ファイルサーバ２０３および付加情報ファイルサーバ２０４は、このようにファイルサーバの形式で実現してもよいし、画像ファイル記録装置および付加情報記録装置として、登録処理サーバ２０２が利用する記録媒体によって構成されてもよい。
【００８０】
メール送信サーバ２０６は、登録処理サーバ２０２から受信した電子メールを送信する処理を行う。ここで指定されるメールアドレスは、基本的には携帯電話機３００のメールアドレスであるので、メール送信サーバ２０６は、上記のメールを携帯電話機３００に対して送信することになる。
【００８１】
ＷＥＢサーバ２０５は、携帯電話機３００からのアクセスに対して、ＷＥＢページの形式で、画像ファイルサーバ２０３に記録されている合成画像情報を提供するサーバ装置である。また、ＷＥＢサーバ２０５は、付加情報や画像特定情報を、付加情報ファイルサーバ２０４から読み込み、引き出す処理を行う。このＷＥＢサーバ２０５における処理の詳細については後述する。
【００８２】
なお、本実施形態では、管理サーバシステム２００が、複数のサーバ装置、すなわち、ＦＴＰサーバ２０１、登録処理サーバ２０２、画像ファイルサーバ２０３、付加情報ファイルサーバ２０４、ＷＥＢサーバ２０５、およびメール送信サーバ２０６を備えた構成となっているが、これらのサーバ装置のうち、複数のサーバ装置によって実現される機能が、１つのサーバ装置が有する機能によって実現される構成としてもよい。
【００８３】
（ＷＥＢサーバの構成）
次に、ＷＥＢサーバ２０５の構成について図７を参照しながら以下に説明する。同図に示すように、ＷＥＢサーバ２０５は、データ取得部６１、合成処理部６２、ＷＥＢサーバ処理部（情報送受信手段）６３、および合成用画像記憶部６４を備えた構成となっている。
【００８４】
ＷＥＢサーバ処理部６３は、インターネット上でＷＥＢページを提供する処理を行う。具体的には、ＷＥＢサーバ処理部６３は、携帯電話機３００からのＷＥＢアクセスに応じて、合成画像データの提供に関するＷＥＢページのページデータを送信するとともに、合成画像データの提供に必要とされる入力情報を携帯電話機３００から受け付ける処理を行う。
【００８５】
データ取得部６１は、ＷＥＢサーバ処理部６３によるＷＥＢページの提供に必要とされる合成画像情報および付加情報、および、合成処理部６２による合成処理に必要とされる合成画像情報を、画像ファイルサーバ２０３および付加情報ファイルサーバ２０４から取得する処理を行う。
【００８６】
合成処理部６２は、ＷＥＢサーバ処理部６３によって提供される合成画像データを生成する処理を行う。具体的には、合成処理部６２は、合成画像情報に基づいて、ＷＥＢサーバ処理部６３において提供することが可能な形式の合成画像データを生成する。ここでの合成処理は、合成画像情報に含まれるデータのみを用いて行われてもよいし、合成用画像記憶部６４に記憶されている合成用画像データを利用して行われてもよい。
【００８７】
（写真撮影プリント装置における処理の流れ）
次に、図８に示すフローチャートを参照しながら、写真撮影プリント装置１の動作フローについて説明する。
【００８８】
まず、プレイ開始の受付処理として、撮影処理用タッチパネル２９に待機状態のデモンストレーション画面が表示される。デモンストレーション画面には、写真撮影プリント装置１のマシーン名称、略称、概略等の情報が含まれる。なお、このデモ画面において、「コインを投入してね」というような、ユーザにコイン投入を促すメッセージを表示してもよい。撮影空間に進入したユーザによりコイン投入がなされ（ステップ１、以降、Ｓ１のように称する）、課金処理部による課金処理が終了すると、デモンストレーション画面を撮影処理用画面に切り替えて受付処理を完了する。
【００８９】
次に、Ｓ２において、ユーザに撮影コースを選択させるための画面が撮影画像表示部２４に表示され、ユーザからの撮影コース選択の入力を受け付ける。撮影コースとは、例えば、ノーマル撮影コース（ユーザが所望のカーテン（背景色）を選んで撮影）、おまかせ撮影コース（カーテンを自動で選択し撮影）、ポーズ撮影コース（ユーザがモデルサンプル画像（完成予想図）を選んでそれに基づいて撮影）などが挙げられ、ユーザが好きなコースを選択できるものとする。
【００９０】
Ｓ３では、ユーザは撮影コースに基づいて、撮影空間で複数回の写真撮影を行う。この時ユーザは、ライブビュー表示パネルに表示されている自身の姿を視認しながら、写真撮影をすることができる。そしてＳ４において、撮影画像の中から編集処理対象とする画像をキープ画像としてユーザが選択し、ここで選択された撮影画像が撮影画像記録部５１に記録される。なお、このＳ４の過程を省略して、撮影画像全てを編集処理対象としてもよい。この場合、Ｓ４の処理が省略できるため、編集処理をより長くすることが可能である。
【００９１】
次に、Ｓ５において、編集処理後に行うゲームの選択が行われる。ここで選択されるゲームの種類としては複数用意されることになるが、本実施形態では、少なくとも合成画像を携帯電話機３００へ送信する処理（携帯送信）に関するゲームが含まれているものとする。その他のゲームとしては、携帯電話機３００に対して、メールに加えることが可能な装飾画像の生成処理に関するゲームなどが挙げられる。
【００９２】
Ｓ６では、Ｓ４においてキープされた撮影画像に対して、編集処理が行われる。この編集処理では、編集画像表示部３１ａに、落書きなどの画像編集処理時における編集対象の画像および各種編集ツールなどが表示され、ユーザからのタッチペン３２および操作受付部３１ｂによる入力指示に基づいて、各種編集処理が行われる。
【００９３】
Ｓ７では、Ｓ５において選択されたゲームが、「携帯送信」に関するゲームであるか否かが判定される。Ｓ７においてＮＯ、すなわち、「携帯送信」に関するゲーム以外のゲームが選択された場合には、該ゲームが実行された後に、Ｓ８においてシール印刷処理が行われ、処理が終了する。
【００９４】
Ｓ７においてＹＥＳ、すなわち、「携帯送信」に関するゲームが選択された場合、まずＳ９において、通信処理部１４は、合成画像を送信する先となるメールアドレスの入力をユーザから受け付ける。次に、通信処理部１４は、編集処理によって生成された複数の合成画像のうち、動画像を含まない静止画としての合成画像を編集画像表示部３１ａに表示させ、ユーザから送信すべき合成画像の選択入力を受け付ける（Ｓ１０）。
【００９５】
その後、通信処理部１４は、Ｓ９において入力されたメールアドレスに基づいて、該メールアドレスに対応する携帯電話機３００の機種もしくは種類を判定し、該携帯電話機３００が動画表示に対応したものであるか否かを判定する（Ｓ１１）。Ｓ１１においてＹＥＳ、すなわち、動画表示に対応している場合には、通信処理部１４は、編集処理によって生成された複数の合成画像のうち、動画像を含む動画としての合成画像を編集画像表示部３１ａに表示させ、ユーザから送信すべき合成画像の選択入力を受け付ける（Ｓ１２）。その後、通信処理部１４は、Ｓ１０およびＳ１２で選択された合成画像の合成画像情報を管理サーバシステム２００に対して送信し（Ｓ１３）、Ｓ８においてシール印刷処理が行われ、処理が終了する。
【００９６】
Ｓ１１においてＮＯ、すなわち、動画表示に対応していない場合には、通信処理部１４は、Ｓ１０で選択された合成画像の合成画像情報を管理サーバシステム２００に対して送信し（Ｓ１３）、Ｓ８においてシール印刷処理が行われ、処理が終了する。
【００９７】
（合成画像情報・付加情報受信時の管理サーバシステムの処理の流れ）
次に、管理サーバシステム２００が、写真撮影プリント装置１から合成画像情報および付加情報を受信した際の処理の流れについて図９に示すフローチャートを参照しながら以下に説明する。
【００９８】
まずＳ２１において、ＦＴＰサーバ２０１は、写真撮影プリント装置１から合成画像情報、および、付加情報の受信を待機する。そして、Ｓ２２において、合成画像情報、および、付加情報のデータが受信されると、ＦＴＰサーバ２０１は、受信したデータを、登録処理サーバ２０２に伝送し、登録処理サーバ２０２が、ＦＴＰサーバ２０１から受信した合成画像情報を画像ファイルサーバ２０３に送信するとともに、付加情報を付加情報ファイルサーバ２０４に送信する処理を行う。これにより、合成画像情報および付加情報が管理サーバシステム２００において登録されることになる（Ｓ２３）。
【００９９】
また、登録処理サーバ２０２は、付加情報にメールアドレス情報が含まれているか否かを判定し（Ｓ２４）、含まれている場合には、該メールアドレスに対してＷＥＢサーバ２０５にアクセスするためのＵＲＬ（Uniform Resource Locator）情報（ＷＥＢアドレス）を記した電子メールを生成する処理を行う。生成した電子メールは、メール送信サーバ２０６に送られる。そして、メール送信サーバ２０６は、登録処理サーバ２０２から受信した電子メールを送信する処理を行う（Ｓ２５）。
【０１００】
（ＷＥＢサーバにおける処理の流れ）
次に、ＷＥＢサーバにおける処理の流れについて図１０に示すフローチャートを参照しながら説明する。まず、Ｓ３１において、ＷＥＢサーバ処理部６３が、携帯電話機３００からＷＥＢアクセスを受け付ける。ここで、携帯電話機３００は、メール送信サーバ２０６から受信した電子メールに記載されているＷＥＢアドレスに基づいてＷＥＢアクセスを行うことになる。次に、Ｓ３２において、ＷＥＢサーバ処理部６３は、アクセスしてきた携帯電話機３００またはユーザを特定する。ＷＥＢサーバ処理部６３は、アクセスしてきた携帯電話機３００またはユーザに対応する付加情報を付加情報ファイルサーバ２０４から取得する。そして、取得した付加情報に基づいて、該携帯電話機３００またはユーザに対応したインフォメーションページを該携帯電話機３００に対して送信する（Ｓ３３）。
【０１０１】
なお、上記の例では、メール送信サーバ２０６から送られる電子メールに記載されているＷＥＢアドレスは、携帯電話機３００のユーザのメールアドレスに対応するインフォメーションページを示すＷＥＢアドレスとなっていることが想定されている。すなわち、Ｓ３２およびＳ３３は、携帯電話機３００からのＷＥＢアクセスによって自動的に行われることになる。詳しく説明すると、ＷＥＢサーバ処理部６３は、Ｓ３２において、アクセスしてきたアドレスによって、携帯電話機３００またはユーザを特定することが可能な情報を取得し、この情報に対応する付加情報を付加情報ファイルサーバ２０４から取得することになる。
【０１０２】
これに対して、電子メールに記載されているＷＥＢアドレスは、ＷＥＢサーバ２０５が提供するＷＥＢページのトップページのＷＥＢアドレスとし、ユーザはこのトップページにおいてメールアドレスなどの個人特定情報（必要に応じてパスワードなど）を入力することによって、個人用のインフォメーションページにアクセスする、という形態であってもよい。すなわち、ＷＥＢサーバ処理部６３は、Ｓ３２において、トップページにおいて入力されたメールアドレスなどの個人特定情報によって、携帯電話機３００またはユーザを特定することが可能な情報を取得し、この情報に対応する付加情報を付加情報ファイルサーバ２０４から取得することになる。
【０１０３】
次に、Ｓ３４において、ＷＥＢサーバ処理部６３は、アクセスしてきた携帯電話機３００が動画表示に対応していない機種であるか否かを判定する。ここで、ＷＥＢサーバ処理部６３は、アクセスしてきた携帯電話機３００に対応する機種情報を、上記のＳ３２での処理で取得してもよいし、アクセス時に携帯電話機３００が送信する機種情報を受信することによって取得してもよいし、アクセスしてきたユーザによって機種情報の入力が行われることによって取得してもよい。そして、上記の判定は、ＷＥＢサーバ処理部６３が、付加情報ファイルサーバ２０４に問い合わせることによって行われる。Ｓ３４においてＹＥＳ、すなわち、動画表示対応機種ではない場合、Ｓ３５において、ＷＥＢサーバ処理部６３は、動画非対応機種用のページを携帯電話機３００に送信する。ここで、ＷＥＢサーバ処理部６３は、画像ファイルサーバ２０３から該利用者に対応する合成画像情報のサムネイル画像データを読み出し、該サムネイル画像データを静止画状態のデータとして携帯電話機３００に送信する。
【０１０４】
この場合、携帯電話機３００の表示画面には、携帯電話機３００のユーザのメールアドレスに対応する合成画像情報として画像ファイルサーバ２０３に記録されている少なくとも１つの合成画像情報に対応する、静止画のサムネイル画像が表示される。ここで、表示されているサムネイル画像がリンク形式で表示されており、このサムネイル画像のリンクが選択されると（Ｓ３６）、そのサムネイル画像に対応する合成画像情報が画像ファイルサーバ２０３から読み出され、合成画像情報に基づいて生成される合成画像データが携帯電話機３００に送信される（Ｓ３７）。
【０１０５】
その後、携帯電話機３００から表示形式変更の指示を受信すると（Ｓ３８においてＹＥＳ）、ＷＥＢサーバ処理部６３は、指示に応じて表示形式を変更した合成画像データを携帯電話機３００に送信する。表示形式の変更とは、合成画像データの画素数の変更である。例えば、携帯電話機３００の表示画面のサイズに合わせて、横最大、縦最大、縮小などの画素数変更処理が挙げられる。デフォルトでは、横最大の画素数とした合成画像データが送信される。
【０１０６】
一方、Ｓ３４においてＮＯ、すなわち、動画表示対応機種である場合、Ｓ４０において、ＷＥＢサーバ処理部６３は、動画対応機種用のページを携帯電話機３００に送信する。ここで、ＷＥＢサーバ処理部６３は、画像ファイルサーバ２０３から該利用者に対応する合成画像情報のサムネイル画像データを読み出し、該サムネイル画像データを動画表示可能なものについては動画状態のデータとして携帯電話機３００に送信する。
【０１０７】
この場合、携帯電話機３００の表示画面には、携帯電話機３００のユーザのメールアドレスに対応する合成画像情報として画像ファイルサーバ２０３に記録されている少なくとも１つの合成画像情報に対応する、動画を含むサムネイル画像が表示される。ここで、表示されているサムネイル画像がリンク形式で表示されている。動画を含まないサムネイル画像が選択された場合（Ｓ４２においてＹＥＳ）、Ｓ３７からの処理が行われる。
【０１０８】
一方、動画を含むサムネイル画像が選択された場合（Ｓ４１においてＹＥＳ）、そのサムネイル画像に対応する動画を含む合成画像情報が画像ファイルサーバ２０３から読み出され、合成画像情報に基づいて生成される合成画像データが携帯電話機３００に送信される（Ｓ４３）。ここで、合成処理部６２が、合成画像情報に基づいて、ＷＥＢサーバ処理部６３において提供することが可能な形式の合成画像データを生成する。ここでの合成処理は、合成画像情報に含まれるデータのみを用いて行われてもよいし、合成用画像記憶部６４に記憶されている合成用画像データを利用して行われてもよい。
【０１０９】
（動画像を含む合成画像情報の構造）
次に、動画像を含む合成画像情報の構造について説明する。合成画像情報は、複数のレイヤデータを含んでいる。このレイヤデータとしては、撮影画像を示す撮影画像データからなる撮影レイヤデータ、画像編集部１２によって編集処理された編集画像データからなる編集レイヤデータ、および、背景画像データからなる背景レイヤデータなどが挙げられる。なお、編集レイヤデータおよび背景レイヤデータは、少なくともいずれか一方が含まれていればよい。
【０１１０】
また、撮影レイヤデータ、編集レイヤデータ、および背景レイヤデータの少なくともいずれか一つが、複数のレイヤを含んでいる。この複数のレイヤを含むレイヤデータにおいて、各レイヤの表示・非表示が切り替えられることによって動画表示が実現される。なお、動画表示時における各レイヤの表示・非表示の切り替えタイミングとしては、表示期間と非表示期間とが全て等間隔で繰り返されてもよいし、それぞれ異なる間隔で繰り返されてもよい。
【０１１１】
図１１は、この合成画像情報の構造の一例を示している。同図に示す例では、合成画像情報ＣＰは、背景画像を示す背景画像データからなる背景レイヤＬＢ、撮影画像データからなる撮影レイヤＬＰ、および、編集画像データからなる２つの編集レイヤＬＥＡ・ＬＥＢからなっている。このような構成の合成画像情報ＣＰが表示される場合には、背景レイヤＬＢが最も下層となり、撮影レイヤＬＰ、編集レイヤＬＥＡ、および編集レイヤＬＥＢがこの順に上層に向けて配置される。
【０１１２】
ここで、編集レイヤＬＥＡを図１２（ａ）に示すような画像とし、編集レイヤＬＥＢを図１２（ｂ）に示すような画像とし、撮影レイヤＬＰを図１２（ｃ）に示すような画像とする。この場合、これらの撮影レイヤＬＰ、編集レイヤＬＥＡ、および編集レイヤＬＥＢがこの順で下層側から重ねて表示されると図１３に示すような合成画像となる。
【０１１３】
また、編集レイヤＬＥＡおよび編集レイヤＬＥＢの表示・非表示をそれぞれ切り替えることによって、複数の星が散りばめられた画像が点滅したり、手書き文字画像の輪郭部分の光が点滅したりする動画表示が実現される。図１４（ａ）は、編集レイヤＬＥＡを非表示にし、編集レイヤＬＥＢを表示させた状態の表示画面を示しており、図１４（ｂ）は、編集レイヤＬＥＢを非表示にし、編集レイヤＬＥＡを表示させた状態の表示画面を示している。このような表示・非表示切替を繰り返し行うことによって、上記のような動画表示が実現される。
【０１１４】
以上の例では、編集レイヤが２つの場合を示しているが、編集レイヤの数をさらに増やすことによって、より複雑な動画表示を実現することができる。例えば、編集処理においてユーザの手書きによって文字が書かれた場合に、文字形成時の筆順経過を複数の画像として記録し、これらの筆順画像データを複数の編集レイヤとして合成画像情報に含めるようにしてもよい。この場合、文字が形成された際の筆順で文字が表示される動画表示が実現できる。
【０１１５】
また、動画表示の他の例としては、文字や各種画像の色を変化させる、文字や各種画像の位置や角度を変化させる、などが挙げられる。
【０１１６】
また、編集レイヤに、撮影画像データに基づく画像データが含まれていてもよい。図１５（ａ）および図１５（ｂ）は、基本となる撮影画像の上に、編集レイヤとして、複数の部分撮影画像が表示されるとともに、少なくとも１つの部分撮影画像の位置および／または角度が変化するような動画表示が行われる例を示している。この場合、部分撮影画像が複数の編集レイヤによって構成されており、各編集レイヤの表示・非表示が切り替えられることによって動画表示が実現される。同図（ａ）の例では、少なくとも１つの部分撮影画像の角度が変化することによって、該部分撮影画像が揺れているような動画表示が行われる例が示されている。また、この例において、表示される部分撮影画像の個数を時系列で変化させる、というような動画表示が行われてもよい。また、同図（ｂ）の例では、部分撮影画像と編集画像とが組み合わされた画像が、基本となる撮影画像上を右から左へ移動する動画表示が行われている。
【０１１７】
また、複数の撮影レイヤを含む撮影レイヤデータを合成画像情報に含めておき、撮影画像を動画表示するようにしてもよい。この場合、撮影画像が切り替わる、撮影画像の位置や角度が変化する、表示される撮影画像の数が変化する、などの動画表示が可能となる。
【０１１８】
また、複数の背景レイヤを含む背景レイヤデータを合成画像情報に含めておき、背景画像を動画表示するようにしてもよい。この場合、背景の色が変化する、背景の模様や図柄が変化する、などの動画表示が可能となる。
【０１１９】
なお、合成画像情報における各レイヤの順番は上記の例に限定されるものではなく、任意に変更可能である。例えば、撮影レイヤと背景レイヤとの間に編集レイヤを設けてもよいし、背景レイヤの背後側に編集レイヤを設けてもよい。
【０１２０】
（明度強調度情報を用いた動画表示）
複数の編集レイヤの表示・非表示を切り替える場合のバリエーションとして、少なくとも１つの編集レイヤを、明度強調度情報を示すデータからなる明度強調度情報レイヤとする方法が挙げられる。明度強調度情報レイヤは、別の編集レイヤ、撮影レイヤ、および背景レイヤの少なくともいずれか１つの画像の明度を強調する程度を示すデータからなるものとする。この明度強調度情報レイヤの表示・非表示を切り替えることによって、合成画像情報中の特定の領域の明度が切り替わるような動画表示が可能となる。
【０１２１】
図１６は、明度強調度情報を用いて動画表示が行われる例を示している。同図では、別の編集レイヤ、撮影レイヤ、および背景レイヤの少なくともいずれか１つの画像からなる基本合成画像情報ＢＣＰに対して、明度強調度情報レイヤＴＰが合成されることによって合成画像情報ＣＰが構成される例が示されている。明度強調度情報レイヤＴＰは、基本合成画像情報ＢＣＰの各画素に対して、明度を強調する程度を示す明度強調度を設定した画像データである。同図に示す明度強調度情報レイヤＴＰの例では、黒い領域が明度の強調を行わずに、白に近づくにつれて明度の強調度合いが強くなることを示している。
【０１２２】
明度強調度情報レイヤＴＰの表示・非表示の切り替えは、基本合成画像情報ＢＣＰを、明度強調度情報レイヤＴＰに示される明度強調度情報を反映させて表示するか、反映させずに表示するかを切り替えることによって実現される。
【０１２３】
明度強調度情報を反映させて表示する場合の各画素値の演算例は次のようになる。
（合成画像情報の画素値）＝（１−（明度強調度））×（基本合成画像情報の画素値）＋（明度強調度）×（基本合成画像情報の明度３０％アップの画素値）
上式において、明度強調度は０〜１の値をとるものとし、明度強調度が０の場合には基本合成画像情報の画素値は変化せず、明度強調度が１に近づくにつれて基本合成画像情報の明度が３０％アップした値に近づくことになる。すなわち、領域に応じて明度を０〜３０％の範囲でアップさせることが可能となる。
【０１２４】
なお、上記の演算例はあくまで一例であり、基本合成画像情報の各画素の明度を変化させることが可能な演算であればどのような演算が行われてもよい。
【０１２５】
また、上記の例では、１つの編集レイヤを、別の編集レイヤ、撮影レイヤ、および背景レイヤの少なくともいずれか１つの画像の明度を強調する程度を示すデータからなる明度強調度情報レイヤとしている。しかしながら、このレイヤを、画像の表示状態を変化させることが可能なパラメータの変化程度を示すデータからなる変化程度情報レイヤとしてもよい。このようなパラメータとしては、ぼかし、モザイク、輝度、および、画像の拡大縮小などを設定するパラメータなどが挙げられる。
【０１２６】
（動画対象ツールによる編集処理）
次に、画像編集部１２によって編集処理が行われる際に、動画表示を実現するために複数の編集レイヤが生成される処理について説明する。図１７は、編集処理において編集画像表示部３１ａに表示される編集画面の例を示している。同図に示すように、編集画面には、編集対象画像表示領域Ａ１、編集ツール選択領域Ａ２、編集ツール設定領域Ａ３、消しゴムツール選択領域Ａ４、編集対象画像選択領域Ａ５、および動画プレビューボタンＡ６が表示されている。また、その他、残り時間表示領域、編集処理のクリア、アンドゥ、リドゥボタン、終了ボタンなどが表示されている。なお、この編集画面では、２人のユーザが同時に編集処理を行うことが可能となるように、編集対象画像表示領域Ａ１、編集ツール選択領域Ａ２、編集ツール設定領域Ａ３、および消しゴムツール選択領域Ａ４が画面の左右に分かれて２カ所表示されている。
【０１２７】
編集対象画像表示領域Ａ１は、編集対象画像選択領域Ａ５において選択された撮影画像が表示されるとともに、この領域において画像の描画、貼り付けなどの編集処理が行われる。編集ツール選択領域Ａ２は、編集処理で用いられる各種編集ツールの選択を受け付ける領域である。編集ツールとしては、ユーザの入力軌跡に対応した線画像の描画が行われるペンツールおよび手書きツール、所定の画像をユーザによって指定された編集対象画像上の位置に貼り付けるスタンプツールおよびコロコロツール、および、特殊な効果を有するスペシャルツールなどが挙げられる。ここで選択されたツールの詳細な設定が編集ツール設定領域Ａ３において行われる。消しゴムツール選択領域Ａ４は、編集処理によって撮影画像に対して付加された編集画像を消去する消しゴムツールの消去領域の大きさが選択される領域である。動画プレビューボタンＡ６は、動画表示可能な編集画像を動画で表示する状態と静止画で表示する状態とを切り替えるためのボタンである。
【０１２８】
本実施形態では、上記の編集ツールの中に、動きを伴った画像（動画編集画像）を編集することを可能とする動画対象ツールが含まれているものとしている。動画対象ツールは、大きく分けて２種類のツールが挙げられる。第１の動画対象ツールは、スタンプツールおよびコロコロツールなどに対応するものであり、ユーザによって指定された編集対象画像上の位置に、ユーザによって選択された所定の動画像を配置する所定動画配置ツールである。第２の動画対象ツールは、ペンツールおよび手書きツールなどに対応するものであり、ユーザの入力軌跡に対応した線画像を動画表示する手書き動画生成ツールである。
【０１２９】
なお、どのペンツールやスタンプツールが動画表示されるものであるかについてはユーザには明示されない構成としてもよいし、例えば、スペシャルツールに含まれるツールを全て動画表示されるものとする構成としてもよい。また、編集ツール設定領域Ａ３上部に並ぶタブ（『ノーマル』や『未定』が並ぶタブ）に『動く』というタブを設置し、当該タブ内に動画表示されるツールが格納するようにしてもよい。
【０１３０】
所定動画配置ツールによる描画は、次のように実現される。まず、編集用画像記録部５２に、編集用画像データとして、複数のレイヤからなる所定の動画画像データが種類毎に記録されている。各動画画像データに含まれる複数のレイヤの画像データは互いに異なる画像データからなり、これらのレイヤが切り替えられて表示されることによって動画表示が実現される。
【０１３１】
ユーザによって特定の動画画像データが選択されると、画像編集部１２は、該当動画画像データを編集用画像記録部５２から作業メモリ上に読み出す。その後、ユーザによって編集対象画像上の位置が指定されると、画像編集部１２は、該動画画像データに含まれる複数のレイヤのデータを、編集対象画像に含まれる複数の編集レイヤにおけるそれぞれの該当位置に配置する処理を行う。また、画像編集部１２は、動画画像データを特定する情報、および、該動画画像データの配置位置情報を、該当編集対象画像に対する編集画像情報として編集画像情報記録部５３に記録する。
【０１３２】
手書き動画生成ツールによる描画は、次のように実現される。まず、編集用画像記録部５２に、編集用画像データとして、ユーザの入力軌跡に応じて描画される動画線画像データが種類毎に記録されている。ここで、動画線画像データは複数のレイヤのデータを含んでいる。各レイヤのデータは互いに異なる線画像を描画するためのデータとなっており、これらのレイヤが切り替えられて表示されることによって動画表示が実現される。
【０１３３】
ユーザによって特定の動画線画像データが選択されると、画像編集部１２は、該当動画線画像データを編集用画像記録部５２から作業メモリ上に読み出す。その後、ユーザによって編集対象画像に対する入力軌跡が入力されると、画像編集部１２は、まずその入力軌跡の位置情報を作業メモリに記録する。その後、画像編集部１２は、該動画線画像データに含まれる複数のレイヤのデータに基づいて、編集対象画像に含まれる複数の編集レイヤのそれぞれに、入力軌跡の位置情報に対応した線画像を配置する処理を行う。また、画像編集部１２は、動画線画像データを特定する情報、および、入力軌跡の位置情報を、該当編集対象画像に対する編集画像情報として編集画像情報記録部５３に記録する。
【０１３４】
図１８は、ユーザの入力軌跡に応じて動画線画像データが各編集レイヤに描画される状態を示している。同図に示す例では、ユーザから描画入力が行われると、編集レイヤＬＥＡおよび編集レイヤＬＥＢの両方に対して、互いに異なるデザインの線画像が描画されている。同図に示す例では、線画像において、縁取り画像がつけられたものとそうでないものとで切り替えられることによって動画表示が実現されている。その他、線画像の動画表示の例としては、線画像の色、模様、形状、および位置などの少なくともいずれか一つが変化するようになっている例が挙げられる。
【０１３５】
なお、動画表示されない動画対象外ツールによって編集処理が行われた場合には、画像編集部１２は、編集対象画像に含まれる複数の編集レイヤのそれぞれに、該当動画対象外ツールに対応する同じ画像を配置するようにすればよい。これにより、各編集レイヤの表示・非表示が切り替えられたとしても、動画対象外ツールに対応する画像は変化しないことになる。
【０１３６】
（動画編集画像の消去処理）
次に、編集処理において、編集対象画像上に配置されている動画編集画像を消去する場合の処理について説明する。写真撮影プリント装置１は、基本的にシール紙１４２へのプリント出力がメインのサービスである。すなわち、編集処理においても、シール紙１４２へのプリント出力をイメージすることが可能なように、動画編集画像であっても静止状態で編集処理が行われる状態を選択できるようにしておく必要がある。これに関しては、図１７に示した動画プレビューボタンＡ６によって、動画表示可能な編集画像を動画で表示する状態（動画表示モード）と静止画で表示する状態（静止画表示モード）とが切り替えられるようになっている。
【０１３７】
ここで、動画編集画像の一例において、該動画編集画像の消去を行う時の処理について説明する。図１９（ａ）および図１９（ｂ）は、編集対象画像に含まれる２つの編集レイヤをそれぞれ示している。これらが切り替えられて表示が行われることによって、星形画像の位置が移動する動画表示が行われることになる。この場合に、静止画の状態で編集が行われる状態がユーザによって選択されていると、同図（ａ）および同図（ｂ）のどちらか一方に示す画像が編集対象画像として表示されることになる。
【０１３８】
例えば同図（ａ）に示す状態で静止画として編集対象画像が表示されている場合に、ユーザが星形画像を全て消去することを所望した状況を想定する。この場合、ユーザは、消しゴムツールを選択し、同図（ａ）に示す星形画像を消去する処理を行う。この処理を図２０に示す。同図において、ＥＡで示される領域は、消しゴムツールによって消去される領域を示している。
【０１３９】
ここで、消しゴムツールについて説明しておく。消しゴムツールは、ユーザによって指定された位置を中心とする所定のサイズの領域に描画されている編集画像の画素情報を消去する処理を行うツールである。画像編集部１２は、消しゴムツールがユーザによって選択されると、まずユーザによって指定された位置を取得する。そして、画像編集部１２は、指定された位置を中心とした所定のサイズの領域を特定し、該領域内に含まれる編集画像の画素を消去する。これにより、消しゴムツールによって消去指示が行われた領域内の編集画像の画素のみが消去されることになる。
【０１４０】
図２０に戻ると、図１９（ａ）に示す星形画像を全て消去する場合、図２０のＥＡで示される領域が消しゴムツールで消去されることが想定される。ここで、図２０において、破線で星形画像が示されているが、これは動画表示が行われる際には図１９（ｂ）に示す編集レイヤによって表示されるものである。しかしながら、図１９（ａ）に示す状態で静止画による編集処理が行われている場合には、破線の星形画像は表示されないことになる。すなわち、ユーザは、図２０に示す消去処理を行ったことによって、全ての星形画像を消去したものと認識するが、実際に動画表示が行われると、破線の星形画像が表示されてしまい、ユーザの意図とは異なった動画表示となってしまう。
【０１４１】
これに対して、本実施形態では、次の２つの消去方法のいずれかが実施されることによって、上記の問題を解決している。
【０１４２】
第１の消去方法は次のように実現される。まず前提として、編集対象画像に対する編集処理が静止画表示モードで行われているものとする。この状態で、ユーザによって消しゴムツールが選択される、すなわち、画素情報の消去処理の開始指示が受け付けられると、画像編集部１２は、編集対象画像に含まれる複数の編集レイヤを全て表示させる。例えば図１９（ａ）および図１９（ｂ）に示す動画の場合、消しゴムツールが選択されると、図２１に示すような表示状態となる。この表示状態で消しゴムツールによる消去処理が行われることによって、上記のような動画表示される編集画像の消し残しが発生することを防止することができる。
【０１４３】
なお、消去処理の開始指示時に、複数の編集レイヤを全て表示させる場合に、各編集レイヤの画像の状態によっては、特定の編集レイヤのみを表示させることで対応してもよい。すなわち、特定の編集レイヤを表示させれば、他の全ての編集レイヤの画像の画像領域を含んでいる状態も考えられる。よって、画像編集部１２が、各編集レイヤを全て表示させた場合の画像領域全体を表示させるように、特定の編集レイヤを表示させるようにしてもよい。
【０１４４】
第２の消去方法は次のように実現される。まず前提として、編集対象画像に対する編集処理が静止画として行われているものとする。この状態で、ユーザによって消しゴムツールが選択されると、画像編集部１２は、編集対象画像を動画表示の状態に切り替える。この動画表示状態で消しゴムツールによる消去処理が行われることによって、上記のような動画表示される編集画像の消し残しが発生することを防止することができる。
【０１４５】
なお、動画表示の状態とは、表示・非表示が切り替えられる編集レイヤの全てを所定の時間間隔で表示する状態を含んでいるものとする。つまり、この所定の時間間隔は、通常の動画表示の時間間隔と同じでもよいし、異なっていてもよい。
【０１４６】
また、消しゴムツールから別の編集ツールに切り替えられた場合には、画像編集部１２は、元の静止画表示モードに切り替える。これにより、消しゴムツールによる処理が終了すると、ユーザからの特別の指示入力を受け付けることなく、自動的に静止画表示モードに戻ることができる。
【０１４７】
（画像編集装置としての構成）
本実施形態では、画像編集部１２は、写真撮影プリント装置１が備える制御部１０の機能ブロックとして実現されているが、その他の情報処理装置において、上記のような編集処理を行う画像編集部１２を設けることによって、画像編集装置として実現することも可能である。すなわち、この画像編集装置は、合成画像情報に基づいて表示を行う編集画像表示部３１ａと、ユーザからの操作入力を受け付ける操作受付部３１ｂと、操作受付部３１ｂによって受け付けられた操作入力に応じて上記のような編集処理を行う画像編集部１２とを備えた構成となる。また、この画像編集装置は、編集用画像記録部５２および編集画像情報記録部５３を備えた構成としてもよい。
【０１４８】
（参考情報）
本発明に係る写真撮影プリント装置は、被写体を撮影した撮影画像に編集処理を加えて生成した合成画像情報に基づく合成画像を印刷媒体に印刷するとともに、上記合成画像情報を、通信媒体を介して外部の装置に送信するサービスを提供する写真撮影プリント装置であって、ユーザからの操作入力を受け付ける操作受付部と、上記操作受付部によって受け付けられた操作入力に応じて上記合成画像情報を編集する画像編集手段とを備え、上記合成画像情報が、写真撮影によって得られた撮影画像データからなる撮影レイヤデータ、上記画像編集手段によって編集処理された編集画像データからなる編集レイヤデータを少なくとも含み、上記編集レイヤデータが複数の編集レイヤを含み、各編集レイヤの表示・非表示が切り替えられることによって動画表示が行われるものであり、上記画像編集手段が、ユーザによって選択された編集用画像データによる画像を、上記合成画像情報による合成画像上の指定位置に貼り付ける編集指示を上記操作入力として受け付けた場合に、該編集用画像データに含まれる複数のレイヤのデータを、上記編集レイヤデータに含まれる複数の編集レイヤにおけるそれぞれの該当位置に配置する処理を行う構成でもよい。
【０１４９】
また、本発明に係る写真撮影プリント装置の制御方法は、被写体を撮影した撮影画像に編集処理を加えて生成した合成画像情報に基づく合成画像を印刷媒体に印刷するとともに、上記合成画像情報を、通信媒体を介して外部の装置に送信するサービスを提供する写真撮影プリント装置の制御方法であって、上記合成画像情報が、写真撮影によって得られた撮影画像データからなる撮影レイヤデータ、上記画像編集手段によって編集処理された編集画像データからなる編集レイヤデータを少なくとも含み、上記編集レイヤデータが複数の編集レイヤを含み、各編集レイヤの表示・非表示が切り替えられることによって動画表示が行われるものであり、ユーザによって選択された所定の編集用画像データによる画像を、上記合成画像情報による合成画像上の指定位置に貼り付ける編集指示をユーザから操作入力として受け付けるステップと、該編集用画像データに含まれる複数のレイヤのデータを、上記編集レイヤデータに含まれる複数の編集レイヤにおけるそれぞれの該当位置に配置する処理を行うステップとを有する方法でもよい。
【０１５０】
上記の構成または方法では、ユーザによって編集用画像データが選択され、その貼り付け位置が指定されると、該編集用画像データに含まれる複数のレイヤのデータが、編集レイヤデータに含まれる複数の編集レイヤにおけるそれぞれの該当位置に配置されることになる。このような編集処理が行われた合成画像情報に対して、各編集レイヤの表示・非表示が切り替えられることによる動画表示が行われると、編集用画像データも動画表示されることになる。
【０１５１】
すなわち、上記の構成または方法によれば、ユーザは、編集用画像データの選択、および、その貼り付け位置の指定、という簡単な作業をすることのみによって、動画表示される画像の編集処理を行うことが可能となる。よって、編集処理が許可される時間が限られている場合が多い写真撮影プリント装置においても、動画表示される画像の編集処理を短時間で行うことが可能となり、利用者の満足度も向上させることが可能となる。
【０１５２】
なお、上記編集画像データは、撮影画像データを利用した画像データを含んでいてもよい。
【０１５３】
また、本発明に係る写真撮影プリント装置は、上記の構成において、上記編集用画像データが、ユーザの入力軌跡に応じて描画される動画線画像データであり、上記画像編集手段が、ユーザによって上記合成画像に対する入力軌跡を上記操作入力として受け付けた場合に、上記動画線画像データに含まれる複数のレイヤのデータに基づいて、編集レイヤデータに含まれる複数の編集レイヤのそれぞれに、上記入力軌跡の位置情報に対応した線画像を配置する処理を行う構成としてもよい。
【０１５４】
写真撮影プリント装置では、編集処理として、ユーザが入力した入力軌跡に応じた線画像を行うことが広く行われている。このようなユーザ入力による任意形状の画像を動画にすることは、基本的には非常に困難な作業であるが、上記の構成によれば、ユーザが入力した入力軌跡に応じて、動画表示される線画像が自動的に生成されることになる。すなわち、上記の構成によれば、従来の線画像の描画と同様の作業を行うことのみによって、動画表示される線画像を生成することが可能となる。
【０１５５】
また、本発明に係る写真撮影プリント装置は、上記の構成において、上記画像編集手段が、上記操作受付部によって受け付けられた操作入力に応じて、上記合成画像情報を静止画として表示する静止画表示モードと、動画として表示する動画表示モードとを切り替えて表示制御を行う構成としてもよい。
【０１５６】
上記の構成によれば、ユーザからの操作入力によって、合成画像情報の表示を、静止画表示モードと動画表示モードとで切り替えることが可能となっている。よって、ユーザは、静止画表示状態と動画表示状態とを適宜切り替えて、合成画像情報の状態を確認しながら編集処理を行うことが可能となる。
【０１５７】
また、本発明に係る写真撮影プリント装置は、上記の構成において、上記合成画像情報に含まれる少なくとも１つのレイヤが、その他の少なくとも１つのレイヤにおける画素の明度を強調する程度を示すデータからなる明度強調度情報レイヤである構成としてもよい。
【０１５８】
上記の構成によれば、明度強調度情報レイヤの表示・非表示を切り替えることによって、合成画像情報中の特定の領域の明度が切り替わるような動画表示が可能となる。
【０１５９】
ここで、例えば従来の写真撮影プリント装置において、撮影画像レイヤと編集画像レイヤとの２つのレイヤによって静止画としての合成画像情報を生成することが行われている。このような従来の写真撮影プリント装置に対して、編集処理自体には変更を加えずに、上記明度強調度情報レイヤを合成画像情報に加える処理を行う構成を追加するのみによって、本発明のような動画表示可能な合成画像情報を生成する装置とすることが可能となる。すなわち、上記の構成によれば、従来の写真撮影プリント装置を流用して動画対応機種に変更することを容易に実現することが可能となる。
【０１６０】
なお、上記写真撮影プリント装置は、コンピュータによって実現してもよく、この場合には、コンピュータを上記画像編集手段として動作させることにより上記写真撮影プリント装置をコンピュータにて実現させる画像編集プログラム、およびそれを記録したコンピュータ読み取り可能な記録媒体も、本発明の範疇に入る。
【０１６１】
本発明に係る写真撮影プリント装置は、以上のように、ユーザによって選択された編集用画像データによる画像を、上記合成画像情報による合成画像上の指定位置に貼り付ける編集指示を上記操作入力として受け付けた場合に、該編集用画像データに含まれる複数のレイヤのデータを、上記編集レイヤデータに含まれる複数の編集レイヤにおけるそれぞれの該当位置に配置する処理を行う構成である。これにより、編集処理が許可される時間が限られている場合が多い写真撮影プリント装置においても、動画表示される画像の編集処理を短時間で行うことが可能となるという効果を奏する。
【０１６２】
（ソフトウェアによる構成）
上記写真撮影プリント装置１が備える制御部１０は、ハードウェアロジックによって構成してもよいし、次のようにＣＰＵを用いてソフトウェアによって実現してもよい。
【０１６３】
すなわち、制御部１０は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである制御部１０の制御プログラムのプログラムコード（実行形式プログラム、中間コードプログラム、ソースプログラム）をコンピュータで読み取り可能に記録した記録媒体を、上記制御部１０に供給し、そのコンピュータ（またはＣＰＵやＭＰＵ）が記録媒体に記録されているプログラムコードを読み出し実行することによっても、達成可能である。
【０１６４】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１６５】
また、制御部１０を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１６６】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１６７】
本発明は、写真撮影を行うとともに、その撮影画像に編集処理を施してプリント出力する写真撮影プリント装置一般に適用できる。また、動画を編集する画像編集装置一般にも適用できる。
【符号の説明】
【０１６８】
１    写真撮影プリント装置
２    撮影部
３    編集部
４    印刷部
１０    制御部
１１    撮影画像取得部
１２    画像編集部
１３    印刷画像作成部
１４    通信処理部
１５    背景制御部
２０    撮影空間
２１    硬貨処理部
２２    照明部
２３    カメラ部
２４    撮影画像表示部
２５    カメラ画像表示部
２６    操作部
２７    カーテン部
３１    タッチパネル部
３１ａ  編集画像表示部
３１ｂ  操作受付部
３２    タッチペン
３３    音声出力部
４０    印刷空間
４１    ＩＤタグリーダ／ライタ部
４２    プリンタ部
４３    シール紙ユニット
５０    記録部
５１    撮影画像記録部
５２    編集用画像記録部
５３    編集画像情報記録部
５４    印刷画像記録部
６１    データ取得部
６２    合成処理部
６３    ＷＥＢサーバ処理部
６４    合成用画像記憶部
１００    合成画像通信システム
２００    管理サーバシステム
２０１    ＦＴＰサーバ
２０２    登録処理サーバ
２０３    画像ファイルサーバ
２０４    付加情報ファイルサーバ
２０５    ＷＥＢサーバ
２０６    メール送信サーバ
３００    携帯電話機
【図１】
2011223608.tif 000003
【図２】
2011223608.tif 000004
【図３】
2011223608.tif 000005
【図４】
2011223608.tif 000006
【図５】
2011223608.tif 000007
【図６】
2011223608.tif 000008
【図７】
2011223608.tif 000009
【図８】
2011223608.tif 000010
【図９】
2011223608.tif 000011
【図１０】
2011223608.tif 000012
【図１１】
2011223608.tif 000013
【図１２】
2011223608.tif 000014
【図１３】
2011223608.tif 000015
【図１４】
2011223608.tif 000016
【図１５】
2011223608.tif 000017
【図１６】
2011223608.tif 000018
【図１７】
2011223608.tif 000019
【図１８】
2011223608.tif 000020
【図１９】
2011223608.tif 000021
【図２０】
2011223608.tif 000022
【図２１】
2011223608.tif 000023